(57)【要約】【課題】電線の抜けに対する引張り強度を確保できるコネクタ構造を得る。【解決手段】コネクタ構造１２は、接触対象と電気的に接続可能な端子４０と、端子４０を保持するハウジング２０と、ハウジング２０に装着されるリテーナ３０と、端子４０に対して圧着される電線５０とを備えている。この電線５０はリテーナ３０がハウジング２０に装着された場合、リテーナ３０の押圧による屈曲部５６を有している。【選択図】図６
2019220317.tif 000002
【特許請求の範囲】
【請求項１】
接触対象と電気的に接続可能な端子と、
前記端子を保持するハウジングと、
前記ハウジングに装着されるリテーナと、
前記リテーナが前記ハウジングに装着された場合、前記リテーナの押圧による屈曲部を有すると共に、前記端子に対して圧着される電線と、
を備えるコネクタ構造。
【請求項２】
前記ハウジングに設けられ、前記電線を支持する支持部と、
前記リテーナに設けられ、前記ハウジングに挿入されると共に、前記支持部よりも前記電線の先端側で前記電線を前記端子に圧着する突起部と、
を備える請求項１に記載のコネクタ構造。
【請求項３】
前記端子は、
前記屈曲部から前記支持部まで延びる延設部を有している請求項２に記載のコネクタ構造。
【請求項４】
前記リテーナは、前記ハウジングに挿入される他の突起部を有し、
前記電線は、前記リテーナが前記ハウジングに装着された場合、前記他の突起部の押圧による他の屈曲部を有する請求項２又は３に記載のコネクタ構造。
【発明の詳細な説明】
【技術分野】
【０００１】
本発明は、電線が圧着される端子を備えたコネクタ構造に関する。
【背景技術】
【０００２】
下記特許文献１には、筐体にケーブルを固定する作業の簡易化を図ることが可能なコネクタが開示されている。このコネクタは、折曲げられた金属板からなる端子を有しており、当該端子に形成された貫通穴がその大きさが減少するように塑性変形することにより、電線である金属線がかしめられている。
【先行技術文献】
【特許文献】
【０００３】
【特許文献１】特開２０１２−１９０６２１号公報
【発明の概要】
【発明が解決しようとする課題】
【０００４】
しかし、上記のコネクタでは、配線における電線が細くなるほどかしめが不十分となり、抜けに対する引張り強度を確保することが困難である。
【０００５】
本発明は、上記事実を考慮し、電線の抜けに対する引張り強度を確保できるコネクタ構造を得ることを目的とする。
【課題を解決するための手段】
【０００６】
本発明の第１態様のコネクタ構造は、接触対象と電気的に接続可能な端子と、前記端子を保持するハウジングと、前記ハウジングに装着されるリテーナと、前記リテーナが前記ハウジングに装着された場合、前記リテーナの押圧による屈曲部を有すると共に、前記端子に対して圧着される電線と、を備える。
【０００７】
本発明の第２態様のコネクタ構造は、第１態様のコネクタ構造において、前記ハウジングに設けられ、前記電線を支持する支持部と、前記リテーナに設けられ、前記ハウジングに挿入されると共に、前記支持部よりも前記電線の先端側で前記電線を前記端子に圧着する突起部と、を備える。
【０００８】
本発明の第３態様のコネクタ構造は、第２態様のコネクタ構造において、前記端子は、前記屈曲部から前記支持部まで延びる延設部を有している。
【０００９】
本発明の第４態様のコネクタ構造は、第２態様又は第３態様のコネクタ構造において、前記リテーナは、前記ハウジングに挿入される他の突起部を有し、前記電線は、前記リテーナが前記ハウジングに装着された場合、前記他の突起部の押圧による他の屈曲部を有する。
【発明の効果】
【００１０】
第１態様のコネクタ構造では、リテーナの押圧により電線に屈曲部が形成されることで、電線が引張られた場合に屈曲部が抜けに対する抵抗部分となる。そのため、当該コネクタ構造によれば、電線の引張り強度を確保することができ、電線のハウジングからの抜けが抑制される。
【００１１】
第２態様のコネクタ構造では、電線は突起部による端子への圧着部分とハウジングにおける支持部との間に屈曲部を有している。当該コネクタ構造によれば、電線が引張られた場合に、電線が突起部と支持部に強く接触することで抜けに対する抵抗力が生じるため、電線の引張り強度を向上させることができる。
【００１２】
第３態様のコネクタ構造では、電線は圧着部分から支持部にかけて端子に対して接触させることができる。すなわち、当該コネクタ構造によれば、端子との接触箇所を増やすことで、電線の引張り強度を向上させることができる。
【００１３】
第４態様のコネクタ構造では、電線は複数の屈曲部を有している。当該コネクタ構造によれば、抜けに対する抵抗部分を増やすことで、電線の引張り強度を向上させることができる。
【図面の簡単な説明】
【００１４】
【図１】第一の実施形態に係るメスコネクタの（Ａ）上斜め前方から見た斜視図、（Ｂ）側面図である。
【図２】第一の実施形態に係るメスコネクタであって、ハウジングにリテーナを装着する前の（Ａ）上斜め前方から見た斜視図、（Ｂ）側面図である。
【図３】第一の実施形態に係るメスコネクタの端子を上斜め前方から見た斜視図である。
【図４】第一の実施形態に係るメスコネクタであって、ハウジングにリテーナを装着する前の断面図（図２の４―４線断面図）である。
【図５】第一の実施形態に係るメスコネクタであって、（Ａ）端子の保持部に突起部が挿入される前の前方断面図、（Ｂ）端子の保持部に突起部が挿入された後の前方断面図側面図である。
【図６】第一の実施形態に係るメスコネクタであって、（Ａ）ハウジングにリテーナを装着する前の側方断面図、（Ｂ）ハウジングにリテーナを装着した後の側方断面図である。
【図７】第二の実施形態に係るメスコネクタであって、ハウジングにリテーナを装着した後の側方断面図である。
【図８】第三の実施形態に係るメスコネクタであって、ハウジングにリテーナを装着した後の側方断面図である。
【発明を実施するための形態】
【００１５】
［第一の実施形態］
図１〜６を用いて、第一の実施形態のコネクタ構造１２が適用されたメスコネクタ１０について説明する。なお、各図面では、オスコネクタ（図示せず）が差込まれる側を前方とし、ロックレバー３４（図１（Ａ）参照）が設けられる側を上方として説明する。また、各図では、メスコネクタ１０の前方を矢印ＦＲで示し、上方をＵＰで示す。
【００１６】
図１（Ａ）に示す如く、本実施形態のメスコネクタ１０は、上方側の幅方向中央部に凹状部２０Ａを有する略箱状で樹脂製のハウジング２０を備えている。このハウジング２０には、前後方向に貫通する複数の挿通孔２２が設けられている。この挿通孔２２は上下２段に設けられており、上段の上部挿通孔２２Ｕは凹状部２０Ａを挟んで幅方向両側に８列ずつ、幅方向に沿って配置され、下段の下部挿通孔２２Ｌは幅方向に沿って２３列配置されている。挿通孔２２には、後述する端子４０が挿入されている。
【００１７】
図６（Ａ）及び（Ｂ）に示す如く、各上部挿通孔２２Ｕでは、上壁部の前方側に矩形状の係止孔２２Ａが設けられている。また、各下部挿通孔２２Ｌでは、下壁部の前方側に矩形状の係止孔２２Ａが設けられている。これらの係止孔２２Ａには、端子４０に設けられた係止部４４が突出している。
【００１８】
一方、挿通孔２２の後方側には挿通孔２２に接続される溝部２４が設けられている。この溝部２４は、上部挿通孔２２Ｕに接続される上部溝部２４Ｕと、下部挿通孔２２Ｌに接続される下部溝部２４Ｌとを有している。溝部２４は、前方断面視において後述する保持部４６に対応する形状とされている。具体的には、保持部４６の湾曲に沿って略Ｕ字状に形成されている。
【００１９】
図４に示す如く、上部溝部２４Ｕには、開口部２０Ｂとして上方側に開口する矩形状の上部開口部２０Ｕが設けられている。この上部開口部２０Ｕは、幅方向に並んで配置された上部溝部２４Ｕを跨いで設けられている。つまり、上部開口部２０Ｕは、凹状部２０Ａを挟んで幅方向両側にそれぞれ配置されている。また、下部溝部２４Ｌには、開口部２０Ｂとして下方側に開口する矩形状の下部開口部２０Ｌが設けられている。この下部開口部２０Ｌは、幅方向に並んで配置された下部溝部２４Ｌを跨いで設けられている。上部開口部２０Ｕ及び下部開口部２０Ｌは、後述するリテーナ３０に設けられた複数の突起部３６を上下方向に挿通するために設けられている。
【００２０】
図６（Ａ）及び（Ｂ）に示す如く、ハウジング２０の後端部には、凹部２６として、上方側の上部凹部２６Ｕと、下方側の下部凹部２６Ｌとが設けられている。上部凹部２６Ｕ及び下部凹部２６Ｌには配線５０の被覆５４の端部が収容される。ここで、本実施形態の配線５０は導電性金属としての複数の芯線からなる電線５２と、電線５２の周囲を覆う絶縁体である被覆５４とを含んで構成されている。なお、図６（Ａ）及び（Ｂ）において、電線５２は複数の芯線を一体化させて図示している（図７及び図８でも同じ）。
【００２１】
また、ハウジング２０には、上部溝部２４Ｕから上部凹部２６Ｕにかけて、及び下部溝部２４Ｌから下部凹部２６Ｌにかけて、前後方向に延びる貫通孔２８が設けられている。貫通孔２８は電線５２が挿通可能な径で形成されている。この貫通孔２８には配線５０において被覆５４が除去されて露出した電線５２が挿通されており、貫通孔２８は配線を支持する支持部に相当する。
【００２２】
図３に示す如く、端子４０は前後方向を長手方向とするメス型端子であって、金属板（例えば、銅板）をプレスし、折曲げ加工を施すことにより形成されている。この端子４０は、前方側に略角筒状に形成された筒状部４２を有し、後方側に断面が略Ｕ字状に形成された保持部４６を有している。ここで、筒状部４２の幅及び高さは、挿通孔２２の幅及び高さよりも僅かに小さい。本実施形態の端子４０は、筒状部４２に対して、接触対象であるオス型端子（図示せず）が挿入されることで電気的に接続される。
【００２３】
図３及び図４並びに図５（Ａ）及び（Ｂ）に示す如く、保持部４６は、溝部２４に収容されており、開口部２０Ｂ側に開いた形状とされている。すなわち、上部挿通孔２２Ｕ及び上部溝部２４Ｕに挿入される端子４０では保持部４６は上方側に開き、下部挿通孔２２Ｌ及び下部溝部２４Ｌに挿入される端子４０では保持部４６は下方側に開いている。この保持部４６は、溝部２４の底部２４Ｂ側の圧着部４６Ａと、圧着部４６Ａの幅方向両端部から開口部２０Ｂ側に延出する一対の延出部４６Ｂとを有している（図４参照）。圧着部４６Ａは、断面視において底部２４Ｂ側が凸となるように湾曲している。
【００２４】
また、保持部４６は対向する延出部４６Ｂ同士が近接する部分が挟持部４６Ｃとして形成されている。そして、保持部４６は、挟持部４６Ｃよりも先端側が幅方向に広がっている。一方、保持部４６は、挟持部４６Ｃよりも底部２４Ｂ側が幅方向に膨らむ袋状に形成されている。保持部４６は弾性を有しており、保持部４６に後述する突起部３６が接触した場合、挟持部４６Ｃが幅方向に開くことで突起部３６は保持部４６の内部に挿入される。また、突起部３６が挿入された状態においては、突起部３６は挟持部４６Ｃに挟持されている。
【００２５】
また、図６（Ａ）及び（Ｂ）に示す如く、上部挿通孔２２Ｕに挿入される端子４０では、筒状部４２の上部に上方側に突出する係止部４４が設けられている。この係止部４４は、筒状部４２を構成する金属板の一部に、幅方向両側及び前方側の三方を囲む切り込みを入れ、切り込みのない後方側を起点に上方に折り曲げて形成されている（図３参照）。なお、下部挿通孔２２Ｌに挿入される端子４０は筒状部４２の下部に下方側に突出する係止部４４が設けられており、その構造は上部挿通孔２２Ｕに挿入される端子４０と同様である。
【００２６】
図１（Ａ）及び（Ｂ）並びに図２（Ａ）及び（Ｂ）に示す如く、ハウジング２０は、上下両側を樹脂製のリテーナ３０で挟持されている。詳しくは、ハウジング２０の上方側を覆う上部リテーナ３０Ｕと、ハウジング２０の下方側を覆う下部リテーナ３０Ｌとを有している。上部リテーナ３０Ｕの幅方向中央には、図示しないオスコネクタに対して係止されるロックレバー３４が設けられている。
【００２７】
リテーナ３０の幅方向外側には固定爪３２が設けられている。上部リテーナ３０Ｕでは、下方側に延出すると共に下端部から幅方向内側に向けて突起が形成され、下部リテーナ３０Ｌでは、上方側に延出すると共に上端部から幅方向内側に向けて突起が形成されている。なお、上部リテーナ３０Ｕの固定爪３２と、下部リテーナ３０Ｌの固定爪３２とは前後方向にずれて配置されている。リテーナ３０をハウジング２０に装着する際は、これら固定爪３２の先端に形成された突起がハウジング２０の幅方向外側に設けられた窪み部２０Ｃ（図２（Ｂ）参照）に係止されることで、リテーナ３０はハウジング２０に固定される。
【００２８】
図４に示す如く、リテーナ３０には、開口部２０Ｂに対応する位置において各溝部２４の内部に向けて突出する複数の突起部３６が設けられている。すなわち、上部リテーナ３０Ｕでは、上部開口部２０Ｕを挿通可能な突起部３６が設けられ、下部リテーナ３０Ｌでは、下部開口部２０Ｌを挿通可能な突起部３６が設けられている。この突起部３６は、溝部２４に収容された保持部４６に対応して設けられている。また、突起部３６は前方から見た断面形状がマッチ棒状とされており、前後方向の長さは保持部４６に略等しい（図６（Ａ）及び（Ｂ）参照）。
【００２９】
突起部３６は前方から見て幅が一定の基部３６Ａと、基部３６Ａから先端に向けて拡幅する拡幅部３６Ｂと、拡幅部３６Ｂから先端にむけて縮幅する接触部３６Ｃを有している。図５（Ｂ）に示す如く、これらの突起部３６は、上方側又は下方側において対向する保持部４６に対して挿入されている。保持部４６に挿入された突起部３６は、拡幅部３６Ｂが挟持部４６Ｃにより挟持されている。このとき、接触部３６Ｃにより、電線５２が保持部４６に圧着されている。
【００３０】
ここで、図６（Ａ）及び（Ｂ）に示す如く、本実施形態では突起部３６により貫通孔２８から突出した電線５２が底部２４Ｂ側にずれることで、電線５２に屈曲部５６が形成されている。
【００３１】
各リテーナ３０の後端には、ハウジング２０の凹部２６と対応する位置に、凹部２６に向けて突出する平板状の押圧部３８が設けられている。この押圧部３８は、リテーナ３０がハウジング２０に固定された場合に、凹部２６に収容された配線５０における被覆５４を凹部２６の底部に向けて押圧する機能を有している。
【００３２】
次に、本実施形態の作用を説明する。
【００３３】
本実施形態のメスコネクタ１０は次のように製造される。まず、作業者は、ハウジング２０の挿通孔２２に対して、保持部４６側を先頭に端子４０を挿入する。ここで、端子４０を挿通孔２２に挿入した際、係止部４４は筒状部４２の内側に弾性変形し、係止部４４の前端が係止孔２２Ａに達すると係止部４４の前端は係止孔２２Ａの内部に突出する。これにより、係止部４４の前端は係止孔２２Ａの前方側の壁面に係止され、端子４０はハウジング２０に保持される。
【００３４】
次に、作業者はハウジング２０の後方側から配線５０を挿入する。このとき、貫通孔２８に電線５２を挿入し、溝部２４の内部に電線５２を配置させる。
【００３５】
続いて、作業者はリテーナ３０をハウジング２０に装着する。まず作業者は、突起部３６が開口部２０Ｂに挿入されるように上部リテーナ３０Ｕ及び下部リテーナ３０Ｌをハウジング２０に被せて（図６（Ａ）参照）、接触部３６Ｃを挟持部４６Ｃに接触させる（図４参照）。このとき、図２（Ａ）及び（Ｂ）に示す如く、上部リテーナ３０Ｕはハウジング２０の上方側に、下部リテーナ３０Ｌはハウジング２０の下方側に浮いた状態となる。そして、作業者が上部リテーナ３０Ｕ及び下部リテーナ３０Ｌをハウジング２０に向けて押付けると、図１（Ａ）及び（Ｂ）に示す如く、固定爪３２の先端の突起が窪み部２０Ｃに係止され、各リテーナ３０はハウジング２０に固定される。
【００３６】
リテーナ３０がハウジング２０に固定されると、図５（Ｂ）及び図６（Ｂ）に示す如く、突起部３６は保持部４６に挿入される。そして、突起部３６では接触部３６Ｃが電線５２を圧着部４６Ａに押付けると共に、圧着部４６Ａが溝部２４（底部２４Ｂ）に保持されることで電線５２は圧着される。なお、突起部３６が保持部４６に挿入される前の電線５２は複数の芯線が略円形状にまとまっているが（図５（Ａ）参照）、突起部３６が保持部４６に挿入された後の電線５２は複数の芯線が圧着部４６Ａの幅方向に広がった状態で圧着される（図５（Ｂ）参照）。
【００３７】
また、図６（Ｂ）に示す如く、突起部３６の接触部３６Ｃが電線５２を圧着した際に、貫通孔２８から突出した電線５２が底部２４Ｂ側にずれることで、電線５２は屈曲し、屈曲部５６が形成される。一方、ハウジング２０の凹部２６に収容された配線５０の被覆５４は各リテーナ３０の後端に設けられた押圧部３８により押圧される。
【００３８】
以上のように、本実施形態のコネクタ構造１２は、リテーナ３０をハウジング２０に装着することで、同時に電線５２の端子４０への圧着が行われる。そして、メスコネクタ１０は完成する。
【００３９】
本実施形態では、突起部３６の接触部３６Ｃが電線５２を圧着した際に、屈曲部５６が形成される。この屈曲部５６は、電線５２が引張られた場合に抜けに対する抵抗部分となる。そのため、本実施形態によれば、電線５２の引張り強度を確保することができ、電線５２のハウジング２０からの抜けが抑制される。
【００４０】
また、本実施形態の屈曲部５６は、前後方向において、電線５２の端子４０への圧着部分と貫通孔２８との間に設けられている。そのため、電線５２が引張られた場合には張力が生じ、電線５２は突起部３６の後端部と貫通孔２８の前端部に強く接触することで抜けに対する抵抗力が生じる。すなわち、本実施形態によれば、電線５２の引張り強度を向上させることができる。
【００４１】
また、本実施形態では、電線５２が接触部３６Ｃの面と圧着部４６Ａの面との間で挟持されている。そのため本実施形態は、特許文献１のように金属板の端面で電線をかしめる、すなわち挟持部分が金属板の板厚程度に狭い場合に比べて、電線５２を挟持する面積が広い。したがって、電線５２の圧着力を確保しやすく、電線５２の引張り強度を確保しやすい。
【００４２】
ここで、特許文献１の端子では、貫通穴の塑性変形量が不足している場合は電線の圧着力が不足し、塑性変形量が過多の場合は金属板のエッジにより電線を傷付ける場合がある。電線が傷付いた場合、経年による劣化やコネクタが受ける振動により端子とのかしめが緩くなることで、接触抵抗が増加してしまう。これに対して、本実施形態は、電線の太さの違いに係らず電線を保持することができるため、異なる太さの電線への対応が容易である。特に、本実施形態は電線が細い場合、及び電線を構成する芯線が単線である場合における電線の圧着に適しており、安定して圧着力を確保することができる。そして、本実施形態では、電線が面同士で圧着されるため、電線が細い場合、及び電線を構成する芯線が単線である場合において、電線の傷付きが抑制されている。そのため、経年による劣化やコネクタが受ける振動の影響を受け難く、接触抵抗の増加が抑制される。
【００４３】
また、本実施形態では、リテーナ３０のハウジング２０への装着状態において、突起部３６は拡幅部３６Ｂが一対の延出部４６Ｂで構成される挟持部４６Ｃにより挟持されている。そのため、延出部４６Ｂの弾性力により、突起部３６は幅が狭まる方向である圧着部４６Ａ側に向かう力を受けている。すなわち、突起部３６は保持部４６に対して常に引込まれた状態とされている。本実施形態によれば、電線５２の端子４０に対する圧着力を確保することができ、接続に係る信頼性を確保することができる。
【００４４】
さらに、本実施形態では、凹部２６に収容された配線５０の被覆５４が各リテーナ３０の後端に設けられた押圧部３８により押圧されることにより配線５０が保持されている。これにより、電線５２のみで引張り強度を確保する場合に比べて、電線５２のハウジング２０からの抜けが抑制される。
【００４５】
［第二の実施形態］
次に、図７を用いて、第二の実施形態のコネクタ構造１２Ａが適用されたメスコネクタ１０Ａについて説明する。第二の実施形態のメスコネクタ１０Ａは、第一の実施形態のメスコネクタ１０に対し、端子の構造が相違する。以下、相違点について説明する。なお、第一の実施形態と同じ構成には同一の符号を付しており、説明については省略する。
【００４６】
図７に示す如く、本実施形態のハウジング２０では、上部溝部２４Ｕから上部凹部２６Ｕにかけて、及び下部溝部２４Ｌから下部凹部２６Ｌにかけて、前後方向に延びる貫通孔２８Ａが設けられている。貫通孔２８Ａは、電線５２及び後述する端子４０Ａの延設部４８が挿通可能な径で形成されている。この貫通孔２８Ａには配線５０において被覆５４が除去されて露出した電線５２、及び端子４０Ａの延設部４８が挿通されている。貫通孔２８Ａは配線を支持する支持部に相当する。
【００４７】
本実施形態の端子４０Ａは、第一の実施形態の端子４０に対して保持部４６の後端から後方に延びる延設部４８が形成されている点で相違する。詳しくは、端子４０Ａは、保持部４６の後端から開口部２０Ｂに向けて延び、後方に屈曲した後、貫通孔２８Ａの内部を凹部２６に向けて延びている。したがって、貫通孔２８Ａに挿入された電線５２は、延設部４８に対してリテーナ３０側に配置されると共に、延設部４８と接触している。
【００４８】
本実施形態のメスコネクタ１０Ａによれば、第一の実施形態のメスコネクタ１０の作用効果に加えて、次の作用効果を有している。
【００４９】
本実施形態の電線５２は、端子４０との圧着部分から貫通孔２８Ａにかけて端子４０に対して接触させることができる。すなわち、本実施形態によれば、端子４０との接触箇所を増やすことで、電線５２の引張り強度を向上させることができる。特に、貫通孔２８Ａの内壁部は樹脂面であるため、延設部４８が貫通孔２８Ａ内に存在しない場合、電線５２が貫通孔２８Ａの内壁部と接触しても金属同士の接触に比べて接触抵抗が低い。これに対して、本実施形態は圧着部分のみならず、貫通孔２８Ａにおいても金属同士（電線５２及び延設部４８）の接触であるため接触抵抗が高いことから、電線５２の引張り強度を向上させることができる。
【００５０】
［第三の実施形態］
次に、図８を用いて、第三の実施形態のコネクタ構造１２Ｂが適用されたメスコネクタ１０Ｂについて説明する。第三の実施形態のメスコネクタ１０Ｂは、第一の実施形態のメスコネクタ１０に対し、リテーナの構造が相違する。以下、相違点について説明する。なお、第一の実施形態と同じ構成には同一の符号を付しており、説明については省略する。
【００５１】
図８に示す如く、本実施形態のリテーナ３１は、突起部３６と押圧部３８との間であって、ハウジング２０の凹部２６の前方寄りの位置に、凹部２６に向けて突出する平板状の突出部３９が設けられている。この突出部３９は、押圧部３８よりも突出している。また突出部３９は、突起部３６と同様に端子４０毎に形成してもよいし、上部リテーナ３０Ｕ及び下部リテーナ３０Ｌのそれぞれにおいて一体で形成してもよい。
【００５２】
本実施形態のメスコネクタ１０Ｂによれば、第一の実施形態のメスコネクタ１０の作用効果に加えて、次の作用効果を有している。
【００５３】
すなわち、本実施形態ではリテーナ３１がハウジング２０に装着された場合、貫通孔２８から突出した電線５２が突起部３６により底部２４Ｂ側にずれることで、電線５２は屈曲し、屈曲部５６が形成される。また、本実施形態では、凹部２６において電線５２が突出部３９により底部２４Ｂ側にずれることで屈曲し、前方側に他の屈曲部としての中部屈曲部５７Ａが、後方側に後部屈曲部５７Ｂがそれぞれ形成される。
【００５４】
本実施形態では、電線５２は複数の屈曲部を有している。ここで、屈曲部５６は電線５２が貫通孔２８から抜ける際の抵抗部分となり、中部屈曲部５７Ａは電線５２が凹部２６から抜ける際の抵抗部分となる。すなわち、本実施形態によれば、抜けに対する抵抗部分を増やすことで、電線５２の引張り強度を向上させることができる。
【００５５】
以上、上述した各実施形態のコネクタ構造では、メスコネクタを例に説明したがこの限りではなく、オスコネクタに対して各実施形態のコネクタ構造を採用してもよい。
【符号の説明】
【００５６】
１０  メスコネクタ、１０Ａ  メスコネクタ、１０Ｂ  メスコネクタ、
１２  コネクタ構造、１２Ａ  コネクタ構造、１２Ｂ  コネクタ構造、
２０  ハウジング、２８  貫通孔（支持部）、２８Ａ  貫通孔（支持部）、
３０  リテーナ、３１  リテーナ、３６  突起部、３９  突出部（他の突起部）、
４０  端子、４０Ａ  端子、４８  延設部、５２  電線、５６  屈曲部、
５７Ａ  中部屈曲部（他の屈曲部）
【図１】
2019220317.tif 000003
【図２】
2019220317.tif 000004
【図３】
2019220317.tif 000005
【図４】
2019220317.tif 000006
【図５】
2019220317.tif 000007
【図６】
2019220317.tif 000008
【図７】
2019220317.tif 000009
【図８】
2019220317.tif 000010